【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
微生物或いは植物系微生物類（図２の１）を培養、活性或いは生息させる生息領域（図２の２）を設け、廃水或いは廃液（図２の３）を導入し、上記生息領域に酸素を供給する酸素供給手段（図２の４）と弾性波を供給する弾性波供給手段（図２の５）と所定の回転式液中電極手段（図１の６）を形成させ構成させる円形回転鉄電極（図１のＣ）を回転（図１のＢ）、通電（図１のＱ、Ｕ、Ｖ、Ｗ）可能に支持（図２のＳＦ）し配置（図２の６）或いは配備（図２の６）させて備え、上記酸素、上記弾性波、上記回転式液中電極手段に発生させる電気分解作用、電極溶解鉄供給作用、磁気作用を上記微生物或いは植物系微生物類に通電させて供給或いは作用させて与え、上記生息領域の下流域に上記微生物或いは植物系微生物類と処理水（図２の７）に分離させる分離手段（図２の８）を設け、上記分離手段の返送微生物（図２の９）を上記生息領域に返送（図２の９）し、余剰或いは活用する上記微生物或いは植物系微生物類を分離搬出（図２の１０）させて構成させる電磁殖性活性汚泥処理方式（図１、２）とその装置（図１、２）に有って、所定の軸（図１のＡ）を備え、その軸を止水或いは封水（図１のＲ）させて回転（図１のＹ）、支持（図１のＪ、Ｙ）、回転通電（図１のＸ、Ｑ、Ｕ、Ｖ、Ｗ）を可能とさせて構成させる液中回転電極支持体（図１のＤ）に具備させて備え、上記軸に回転、通電（図１のＸ、Ｑ、Ｕ、Ｖ、Ｗ）、交換を可能とする円盤形状の上記円形回転鉄電極（図１のＣ）を設け備え、上記円形回転鉄電極の回転外周面上（図１のＥ）に付着する付着物（図１のＦ）を密着或いは接触（図１のＨ）させて掻取る付着物掻取手段（図１のＧ、Ｋ）をその自重を用いて揺動可能に上記密着或いは接触させる揺動取付ピン（図１のＰ）に設け備えて上記液中回転電極支持体に支持させて備え上記回転式液中電極手段（図１の６）を構成させ、上記生息領域に上記導入する上記廃水或いは廃液の生物的に難分解性なＣＯＤ組成物、窒素（Ｎ）化合物、リン（Ｐ）化合物を高度且つ同時に処理させることを特徴として構成させる電磁殖性活性汚泥処理方式（図１、２）とその装置（図１、２）と、また上記の電磁殖性活性汚泥処理方式（図１、２）とその装置（図１、２）に有って、微生物或いは植物系微生物類（図２の１）を培養、活性或いは生息させる生息領域（図２の２）に上記微生物或いは植物系微生物類を付着させ固定化させる固定床手段（図２の１２）と上記微生物或いは植物系微生物類と処理水（図２の７）を分離させる膜分離手段（図２の１３）を備えて構成させる電磁殖性活性汚泥処理方式（図１、２）とその装置（図１、２）。
【請求項２】
請求項１に記載する電磁殖性活性汚泥処理方式（図１、２）とその装置（図１、２）に有って、回転式液中電極手段（図１の６）に供給する電力（図１のＱ、Ｕ、Ｖ、Ｗ）或いは出力（Ｋｗ）（図１のＱ、Ｕ、Ｖ、Ｗ）を生息領域（図２の２）に生息させる微生物或いは植物系微生物類（図２の１）固形重量に対し５０ワット（Ｗ）から５００ワット／Ｋｇ上記固形重量／日程度に調整、制限し、或いは上記回転式液中電極手段の鉄溶解作用を上記生息領域に供給する全鉄（Ｆｅ）量の濃度を７０ｐｐｍから５００ｐｐｍの範囲に調整或いは制限させる電力（図１のＱ、Ｕ、Ｖ、Ｗ）量にさせ、更には上記微生物生息領域（図２の２）の上記微生物或いは植物系微生物類（図２の１）に凝集させて介在させる全鉄量（Ｆｅ）の含有濃度を上記微生物或いは植物系微生物類固形重量の比とする３０、０００ｐｐｍから１３０、０００ｐｐｍの範囲に調整或いは制限させる電力（図１のＱ、Ｕ、Ｖ、Ｗ）を供給させて構成させる電磁殖性活性汚泥処理方式（図１、２）とその装置（図１、２）。
【手続補正２】
【補正対象書類名】明細書
【補正対象項目名】全文
【補正方法】変更
【補正の内容】
【発明の詳細な説明】
【発明の名称】電磁殖性活性汚泥処理方式とその装置。
【技術分野】
【０００１】          本発明は、廃水に含有し、生物的な分解処理が難しいとされる難分解性ＣＯＤ、同様の窒素化合物、リン資質等の高度且つ同時処理技術に関わる。
【背景技術】
【０００２】          有機系廃水の処理方式は、従来から生物的な処理方式が経済的、合理的とされている。しかしＣＯＤの高度処理、特に難分解性ＣＯＤの高度処理は生物的に処理が難しく合理的な処理システムの開発が遅れている現状である。ＣＯＤの高度処理は、従来から活性炭による吸着処理或いはオゾンによる強制酸化処理等の複雑な処理プロセスに依存せざるを得ない状態にあり、今後、環境保全、廃水処理分野での処理施設維持管理費、運転経費等の高騰は避けられなく、その経済的な圧迫は強まる一方と言える。また、窒素（Ｎ）リン（Ｐ）に対する規制も強化される方向にあり、その同時処理も圧迫となる。
【発明の開示】
【発明が解決しようとする課題】
【０００３】          本発明が解決しようとする課題は、微生物を用いる生物的な廃水処理方式とその装置に有って、廃水に含有する難分解性なＣＯＤの分解処理機能、能力と窒素化合物質およびリン化合物の処理能力、分解機能を高めさせ、活性炭吸着処理或いはオゾン強制酸化処理、その他不合理及び不経済な高度処理方式の排除を可能とさせる廃水の生物的な高度処理方式或いは難分解性ＣＯＤの高度処理、加えて窒素、リン化合物の高度な処理を同時に可能とさせる合理的且つ経済的な処理方式とその装置を具現化し提供することにある。
【課題を解決するための手段】
【０００４】          請求項１の課題を解決するための手段は、微生物或いは植物系微生物類を生息させる生息領域を設け、廃水を導入し、上記生息領域に酸素供給手段と弾性波供給手段と所定の回転式液中電極手段を形成させ構成させる円形回転鉄電極を回転、通電可能に支持し配置或いは配備させて備え、上記酸素、上記弾性波、上記回転式液中電極手段に発生させる電気分解作用、電極溶解鉄供給作用、磁気作用を上記微生物或いは植物系微生物類に通電させて供給或いは作用させて与え、上記生息領域の下流域に上記微生物或いは植物系微生物類と処理水に分離させる分離手段を設け、或いは上記生息領域に上記微生物或いは植物系微生物類を付着させ固定化させる固定床手段と上記微生物或いは植物系微生物類と処理水を分離させる膜分離手段を備え、上記分離手段の返送微生物を上記生息領域に返送させ、上記微生物或いは植物系微生物類を分離搬出させて構成させる電磁殖性活性汚泥処理方式とその装置を構成させ、所定の軸を備え、その軸を止水或いは封水させて回転、支持、回転通電を可能とさせて構成させる液中回転電極支持体に具備させて備え、上記軸に回転、通電、交換を可能とする円盤形状の上記円形回転鉄電極を設け備え、上記円形回転鉄電極の回転外周面上付着する付着物を密着或いは接触させて掻取る付着物掻取手段をその自重を用いて揺動可能に上記密着或いは接触させる揺動取付ピンに設け備えて上記液中回転電極支持体に支持させて備え上記回転式液中電極手段を構成させ、上記生息領域に上記導入する上記廃水或いは廃液の生物的に難分解性なＣＯＤ組成物、窒素（Ｎ）化合物、リン（Ｐ）化合物を高度且つ同時に処理させることを特徴として構成させる電磁殖性活性汚泥処理方式とその装置を具現化させて提供している。【０００５】          請求項２の課題を解決するための手段は、請求項１に記載する電磁殖性活性汚泥処理方式とその装置に有って、回転式液中電極手段に供給する電力或いは出力（Ｋｗ）を生息領域の微生物或いは植物系微生物類固形重量に対し５０ワット（Ｗ）から５００ワット／Ｋｇ上記固形重量／日程度に調整、制限し、或いは上記回転式液中電極手段の鉄溶解作用が供給する全鉄（Ｆｅ）量の濃度を７０ｐｐｍから５００ｐｐｍの範囲に調整、制限する電力（出力）を供給させ、更には生息領域の微生物或いは植物系微生物類に凝集化させ介在させる全鉄量（Ｆｅ）の含有濃度を微生物或いは植物系微生物類固形重量の比とする３０、０００ｐｐｍから１３０、０００ｐｐｍの範囲に調整、制限させる電力を供給させて構成させ、活性炭吸着処理或いはオゾン強制酸化処理、その他不合理、不経済な高度処理方式の排除を可能とさせる生物的な高度処理方式或いは難分解性ＣＯＤの高度処理、窒素、リン化合物の高度且つ同時な処理を可能とさせる合理的且つ経済的な電磁殖性活性汚泥処理方式とその装置を具現化させて提供している。
【発明の効果】
【０００６】        本発明の電磁殖性活性汚泥処理方式とその装置を具現化させて提供させることで以下のことを醸す。
基本的に生物的な処理方式を用いる同時高度処理方式であり、生物的な既存廃水処理施設の利用、活用を有利にさせる。
生物的に難分解性なＣＯＤ、窒素化合物、リン化合物の同時且つ高度処理を可能とさせることから既存廃水処理施設の改造、変更、増設、改修工事に適し、汎用性が広く、工事費を大幅に削減させる。
従来の活性炭吸着処理方式に比較し、処理経費の６５％を減少させることができる。また、従来のオゾン強制酸化処理方式に比べ、処理経費の７５％を減少させることができる。
バルキング現象の駆逐、抑制を可能とし、温度変化の激しい廃水の処理に適している。更に大量な廃水（下水）の工業用水化処理、農業用水化処理を可能にし、水資源、環境の保全に貢献している。
【発明の実施するための最良の形態】
【０００７】          図１、図２を参照し、請求項１、２の実施形態を説明する。
本実施に用いる微生物（図２の１）は、下水処理場の活性汚泥或いは光合成機能を所持する微生物を用いても良い。鉄、樹脂、木、コンクリート製の水槽を生息領域（図２の２）に用いる。槽の容量は任意とする。酸素供給手段（図２の４）は一般的な散気管を用い、送風機で空気を送り込む。弾性波供給手段（図２の５）は一般の超音波発生器を備える周波数は３万から５万ヘルツを基準とし、出力、周波発生方式は任意とする。微生物の固定床手段（図２の１２）は一般的な廃水処理に用いられる接触固定材を利用する。分離手段（図２の８）は一般的な沈殿分理槽を用いる。また、膜分離手段（図２の１３）も一般的に市販されている分離膜を用いて良い。返送微生物（図２の９）は機械的に所定量を返送させる。ポンプを用いても良い。分離搬出（図２の１０）も機械的なポンプを用い、余剰となる微生物を処理系統から分離搬出させれば良い。
【０００８】          回転式液中電極手段（図１の６）は液中に配置、配備、通電可能な水中式の電極を構成させれば良い。軸（図１のＡ）は鉄の軸で良い、シール材、オイルシールを用いて止水、封水させ、軸受、ベアリングを用いて軸を支持する。電動機（図１のＹ）或いはギヤドモーターを用いて軸を回転させ、軸に電源（図１のＱ、Ｕ、Ｖ、Ｗ）を通電させるリング状のブラシと接触摺動用のブラシを組み合わせて回転通電手段（図１のＸ）を構成させる。液中回転電極支持体（図１のＤ）は配置或いは配備させる液中の液体を内部に侵入させなければ良い。防水させ、水中で使用可能な回転電極を構成させる。
円形回転鉄電極（図１のＣ）は鉄（ＳＳ４００）を用い、円盤状な真円に形成させる。回転の芯にネジ穴を加工し軸をねじ込んで取り付ける。回転は６０ＲＰＭ程度で良い。円形回転鉄電極に通電させると円形回転鉄電極の回転電極外周面（図１のＥ）にスケール、付着物が発生する。これらの付着物は絶えず取り除かなければならない。砥石（図１のＧ、Ｋ）を用い、その自重を用いて揺動可能に密着させて回転する回転電極外周面を掻取る付着物掻取手段（図１のＧ、Ｋ）を設ける揺動取付ピン（図１のＰ）に備え、液中回転電極支持体（図１のＤ）の所定な位置に装着させて備える。回転式液中電極手段（図１の６）は陽極側の単独に配置させ陰極側を別に配置させても良い。また陽極、陰極の両極に用い、所定の時間経緯で極を切り替えて用いても良い。配置、配備する電極間隔は概ね２、３Ｍ程度に調整する。用いる電源は、直流、単相交流、三相交流の半波整流電流、三相交流の全波整流電流のいずれを用いても良い。
【０００９】          回転式液中電極手段（図１の６）の電力供給、供給調整、制限は生息領域（図２の２）の微生物或いは植物系微生物の重量を分析或いは計量して計算する。仮に生息領域の微生物或いは植物系微生物の固形物重量が１００Ｋｇとする場合の電力供給量は１００キログラム＊１００ワット＝１０キロワット／日となり、０．４１６６キロワット／時間の電力を供給すれば良い。
また生息領域（図２の２）の容積が１０００立方メートルの場合、上記生息領域の全鉄（Ｆｅ）濃度を２００ｐｐｍ程度になる様に電力量（Ｋｗ）を調整する。更には、上記生息領域（図２の２）の微生物或いは植物系微生物に含有する全鉄（Ｆｅ）の濃度を３％程度に維持できるように供給電力を調整或いは制限させる。
【００１０】          電磁殖性活性汚泥処理方式（図１、２）とその装置（図１、２）は一般的な活性汚泥処理方式の曝気槽に回転式液中電極手段（図１の６）を配置或いは配備させて備え、構成させることが可能である。廃水の処理系に生息する微生物に電気分解作用、電解溶出鉄、磁気作用を与えて微生物の活性力を高め、廃水或いは廃液に含有する生物的に難分解性なＣＯＤ組成物、窒素（Ｎ）化合物、リン（Ｐ）化合物を高度且つ同時に処理させることを特徴とする電磁殖性活性汚泥処理方式とその装置を構成させる。
【図面の簡単な説明】
【００１１】
【図１】  回転式液中電極手段（図１の６）の構成説明図。
【図２】  電磁殖性活性汚泥処理方式とその装置の構成説明図。
【符号の説明】
【００１２】１      微生物或いは植物系微生物類。（図２の１）
２      生息領域。（図２の２）
３      廃水或いは廃液。（図２の３）
４      酸素供給手段。（図２の４）
５      弾性波供給手段。（図２の５）
６      回転式液中電極手段（図１、２の６）、配置（図２の６）、配備（図２の６）。
７      処理水（図２の７）。
８      分離手段（図２の８）。
９      返送微生物、返送（図２の９）。
１０    分離搬出（図２の１０）、処理系列から分離する。
１２    固定床手段（図２の１２）、微生物或いは植物系微生物類を付着させて固定化さ        せる固定床手段。
１３    膜分離手段（図２の１３）。
１４    微生物或いは植物系微生物類と廃水或いは廃液の混濁する流下流。
Ａ      軸、所定の軸（図１のＡ）。
Ｂ      回転、回転させる。
ＢＤ    三相交流電源の整流用ダイオードー。
Ｃ      円形回転鉄電極（図１のＣ）。
Ｄ      液中回転電極支持体（図１のＤ）。
Ｅ      回転外周面、回転外周面上（図１のＥ）。
Ｆ      付着物（図１のＦ）。
Ｇ      付着物掻取手段（図１のＧ、Ｋ）。
Ｈ      密着或いは接触、微弱な密着或いは接触手段（図１のＨ）、付着物掻取手段を回        転外周面に密着させる。
Ｊ      支持、軸受。（図１のＪ）。
Ｋ      付着物掻取手段（図１のＧ、Ｋ）。
Ｌ      付着物掻取手段の揺動取付ピン用軸受（図１のＬ）。
Ｍ      回転式液中電極手段の懸架用フック。
Ｐ      揺動取付ピン（図１のＰ）。
ＰＷ    電源、供給電源、三相交流電源の整流単相アーノード電源。
Ｑ      通電（図２のＱ）供給電源、供給電力、電解用電源。
Ｒ      止水或いは封水（図１のＲ）、軸（図１のＡ）の止水或いは封水（図１のＲ）
ＳＦ    回転式液中電極手段の懸架手段、懸架装置。
Ｕ      三相交流電源の整流単相アーノード電源、通電（図１のＵ）。
Ｖ      三相交流電源の整流単相アーノード電源、通電（図１のＶ）。
Ｗ      三相交流電源の整流単相アーノード電源、通電（図１のＷ）。
Ｘ      回転通電、回転通電手段。
Ｙ      回転、回転手段、支持。
Ｚ      回転、回転手段の回転用電源。
【手続補正３】
【補正対象書類名】図面
【補正対象項目名】全図
【補正方法】変更
【補正の内容】
【図１】
2013154338.tif 000001
【図２】
2013154338.tif 000002